(57)【要約】【課題】  生産予定の建築用部材の形状を解析してコード化することで、様々なパターンでの建築用部材の集計を可能にする。【解決手段】  建築用部材における６面の画像情報に基づいて、これら各面における各辺に対してその方向を示す辺コード及びＸ軸方向及びＹ軸方向の移動量を示す度合いコードを付与する。また、各面毎に辺コード及び度合いコードを集めて、これらに基づいて各面の面形状を示す面コードを付与する。さらに、各面の面コードを集めて、これら面コードに基づいて建築用部材の立体形状を示す立体コードを付与している。従って、これら各種のコードを利用して建築用部材を検索し、集計することで、様々なパターンでの集計が可能となる。【選択図】  図２
2005202804.tif 000002
【特許請求の範囲】
【請求項１】
プログラムされたコンピュータによって建築用部材の形状を解析する形状解析装置であって、建築用部材における平面、底面、正面、背面、左右の側面の２次元画像情報に基づいて、これら各面における各辺に対してその方向を示す辺コードを付与するとともに、各辺に対してそのＸ軸方向及びＹ軸方向の移動量を示す度合いコードを付与する辺解析手段と、その辺コード及び度合いコードを記憶する辺情報記憶手段と、各面毎に辺コード及び度合いコードを集めて、これら辺コード及び度合いコードに基づいて各面の面形状を示す面コードを付与する面解析手段と、その面コードを記憶する面情報記憶手段と、各面の面コードを集めて、これら面コードに基づいて建築用部材の立体形状を示す立体コードを付与する立体形状解析手段と、その立体コードを記憶する立体情報記憶手段とを備えていることを特徴とする建築用部材の形状解析装置。
【請求項２】
使用者が設定した加工コードを立体コードに対応づけて登録する加工コード登録手段と、前記立体形状解析手段によって付与した立体コードに対応する加工コードが加工コード登録手段に登録されているか否かを判断して、登録されている場合には付与した立体コードを対応する加工コードに変換するとともに、登録されていない場合には付与した立体コードを仮加工コードに変換する加工コード変換手段と、それら変換済みの加工コード或いは仮加工コードを記憶する加工コード記憶手段とを備えた請求項１記載の建築用部材の形状解析装置。
【請求項３】
外周端部に切り欠き加工を施した帯板状の建築用部材の形状解析を対象とし、前記切り欠き加工は、建築用部材をその板厚方向に沿って貫通するとともに、その断面形状が板厚方向の全長に亘って同一形状とされている請求項１又は２記載の建築用部材の形状解析装置。
【請求項４】
コンピュータによって建築用部材の形状を解析させるための形状解析用プログラムであって、前記コンピュータを、建築用部材における平面、底面、正面、背面、左右の側面の２次元画像情報に基づいて、これら各面における各辺に対してその方向を示す辺コードを付与するとともに、各辺に対してそのＸ軸方向及びＹ軸方向の移動量を示す度合いコードを付与する辺解析手段、その辺コード及び度合いコードを記憶する辺情報記憶手段、各面毎に辺コード及び度合いコードを集めて、これら辺コード及び度合いコードに基づいて各面の面形状を示す面コードを付与する面解析手段、その面コードを記憶する面情報記憶手段、各面の面コードを集めて、これら面コードに基づいて建築用部材の立体形状を示す立体コードを付与する立体形状解析手段、その立体コードを記憶する立体情報記憶手段として機能させるための形状解析用プログラム。
【請求項５】
前記コンピュータを、使用者が設定した加工コードを立体コードに対応づけて登録する加工コード登録手段、前記立体形状解析手段によって付与した立体コードに対応する加工コードが加工コード登録手段に登録されているか否かを判断して、登録されている場合には付与した立体コードを対応する加工コードに変換するとともに、登録されていない場合には付与した立体コードを仮加工コードに変換する加工コード変換手段、それら変換済みの加工コード或いは仮加工コードを記憶する加工コード記憶手段として機能させる請求項４記載の形状解析用プログラム。
【請求項６】
外周端部に切り欠き加工を施した帯板状の建築用部材の形状解析を対象とし、前記切り欠き加工は、建築用部材をその板厚方向に沿って貫通するとともに、その断面形状が板厚方向の全長に亘って同一形状とされている請求項４又は５記載の形状解析用プログラム。
【請求項７】
請求項４乃至６のいずれかに記載の形状解析用プログラムを記録したコンピュータ読み取り可能な記録媒体。
【発明の詳細な説明】
【技術分野】
【０００１】
この発明は、主として帯板状の建築用木部材の形状を解析するための形状解析装置、形状解析用プログラム及び形状解析用プログラムを記録したコンピュータ読み取り可能な記録媒体に関する。
【背景技術】
【０００２】
住宅の建築現場における木部材の加工作業を軽減するため、工場でプレカットした木部材を建築現場へ搬入していることが多い。
【０００３】
プレカットに際しては、加工の種類によって異なる加工機が使用される。生産効率を上げるためには、同じ加工機を用いて行う同一形状又は類似形状の加工を集約すれば良い。例えば、同じ長さにカットする木部材を複数本集めて、これらをまとめて一度にカットすれば、生産性を向上することができる。
【０００４】
このためには、生産予定の木部材の形状を特定して、生産予定の木部材をその形状別に集計する必要がある。この場合、特に一棟一式で多品種少量生産の木部材については、事前に形状を予測するのは困難であり、例えば特許文献１にも開示されているように、住宅の設計後にその設計図面やＣＡＤデータ等に基づいて形状を特定していることが多い。そして、この特定した形状に対して識別コードを付与して、この識別コードを登録していくことで、例えばコンピュータによる集計が容易になる。
【０００５】
【特許文献１】特開２００２−１２１８１７
【発明の開示】
【発明が解決しようとする課題】
【０００６】
しかしながら、生産予定の木部材における形状のコード化に際しては、特定した形状と同一若しくは類似する形状を予め設定してある木部材のサンプル形状群の中から選び出して、その選び出したサンプル形状に予め付与されている識別コードを生産予定の木部材の形状に対して付与するといった方法が一般的に採られている。
【０００７】
すなわち、生産予定の木部材の形状を、複数のサンプル形状のうちのいずれかに当てはめてコード化しているに過ぎず、きめ細やかなコード化がなされていなかった。従って、生産予定の木部材を様々なパターンで集計することができず、柔軟性に乏しかった。
【０００８】
この発明は、上記の不具合を解消して、生産予定の建築用部材の形状そのものを解析してコード化することで、様々なパターンでの建築用部材の集計を可能にする建築用部材の形状解析装置、形状解析用プログラム及び形状解析用プログラムを記録したコンピュータ読み取り可能な記録媒体の提供を目的とする。
【課題を解決するための手段】
【０００９】
上記の課題を解決するため、この発明の形状解析装置は、プログラムされたコンピュータによって建築用部材の形状を解析するものであって、建築用部材における平面、底面、正面、背面、左右の側面の２次元画像情報に基づいて、これら各面における各辺に対してその方向を示す辺コードを付与するとともに、各辺に対してそのＸ軸方向及びＹ軸方向の移動量を示す度合いコードを付与する辺解析手段と、その辺コード及び度合いコードを記憶する辺情報記憶手段と、各面毎に辺コード及び度合いコードを集めて、これら辺コード及び度合いコードに基づいて各面の面形状を示す面コードを付与する面解析手段と、その面コードを記憶する面情報記憶手段と、各面の面コードを集めて、これら面コードに基づいて建築用部材の立体形状を示す立体コードを付与する立体形状解析手段と、その立体コードを記憶する立体情報記憶手段とを備えていることを特徴とする。
【００１０】
また、使用者が設定した加工コードを立体コードに対応づけて登録する加工コード登録手段と、前記立体形状解析手段によって付与した立体コードに対応する加工コードが加工コード登録手段に登録されているか否かを判断して、登録されている場合には付与した立体コードを対応する加工コードに変換するとともに、登録されていない場合には付与した立体コードを仮加工コードに変換する加工コード変換手段と、それら変換済みの加工コード或いは仮加工コードを記憶する加工コード記憶手段とを備えている。
【００１１】
さらに、外周端部に切り欠き加工を施した帯板状の建築用部材の形状解析を対象とし、前記切り欠き加工は、建築用部材をその板厚方向に沿って貫通するとともに、その断面形状が板厚方向の全長に亘って同一形状とされている。
【００１２】
この発明の形状解析用プログラムは、コンピュータによって建築用部材の形状を解析させるためのものであって、前記コンピュータを、建築用部材における平面、底面、正面、背面、左右の側面の２次元画像情報に基づいて、これら各面における各辺に対してその方向を示す辺コードを付与するとともに、各辺に対してそのＸ軸方向及びＹ軸方向の移動量を示す度合いコードを付与する辺解析手段、その辺コード及び度合いコードを記憶する辺情報記憶手段、各面毎に辺コード及び度合いコードを集めて、これら辺コード及び度合いコードに基づいて各面の面形状を示す面コードを付与する面解析手段、その面コードを記憶する面情報記憶手段、各面の面コードを集めて、これら面コードに基づいて建築用部材の立体形状を示す立体コードを付与する立体形状解析手段、その立体コードを記憶する立体情報記憶手段として機能させるようになっている。
【００１３】
また、前記コンピュータを、使用者が設定した加工コードを立体コードに対応づけて登録する加工コード登録手段、前記立体形状解析手段によって付与した立体コードに対応する加工コードが加工コード登録手段に登録されているか否かを判断して、登録されている場合には付与した立体コードを対応する加工コードに変換するとともに、登録されていない場合には付与した立体コードを仮加工コードに変換する加工コード変換手段、それら変換済みの加工コード或いは仮加工コードを記憶する加工コード記憶手段として機能させるようになっている。
【００１４】
さらに、外周端部に切り欠き加工を施した帯板状の建築用部材の形状解析を対象とし、前記切り欠き加工は、建築用部材をその板厚方向に沿って貫通するとともに、その断面形状が板厚方向の全長に亘って同一形状とされている。
【００１５】
この発明のコンピュータ読み取り可能な記録媒体は、上記の形状解析用プログラムを記録している。
【発明の効果】
【００１６】
この発明では、生産予定の建築用部材の形状解析に際して、その各辺、各面、立体形状をコード化しているので、これら各種のコードを利用して様々なパターンでの建築用部材の集計が可能となり、それら集計結果に基づいて加工を行うことで、生産効率の向上を図ることができる。
【００１７】
また、このように集計のための形状解析に特化することで、建築用部材の形状を完全に数値化する形状解析と比べて、必要な容量は小さく高速での動作が可能となる。
【００１８】
さらに、立体コードを使用者が任意に設定可能な加工コードに変換することで、簡単で分かり易く、しかも生産現場の事情に合わせた柔軟な集計を実現することができる。
【発明を実施するための最良の形態】
【００１９】
以下、この発明の実施形態を図面に基づいて詳細に説明する。この発明の一実施形態に係る形状解析装置は、生産予定の建築用部材である木部材の形状解析を、その木部材の画像情報を利用して行うものである。具体的には、図２に示すような外周端部に切り欠き加工(10)を施した帯板状の木部材(11)の形状解析を対象としている。木部材(11)における切り欠き加工(10)は、木部材(11)をその板厚方向に沿って貫通するとともに、その断面形状が板厚方向の全長に亘って同一形状とされている。
【００２０】
形状解析装置は、図１に示すように、ＣＰＵ（中央処理装置）(１)、ＲＯＭ（リードオンリーメモリ）(２)、ＲＡＭ（ランダムアクセスメモリ）(３)、入力部(４)、記憶部(５)、出力部(６)を備えている。
【００２１】
入力部(４)は、各種コードや各種情報を入力するためのものであり、キーボードやマウス等からなる。
【００２２】
記憶部(５)は、形状解析用プログラム(15)と、生産予定の木部材における各種画像情報(16)と、その画像情報(16)に基づいて得られる生産予定の木部材についての辺コード情報(17)及び度合いコード情報(18)、面コード情報(19)、立体コード情報(20)等の各種形状情報とが記憶されるハードディスク等からなる。さらに、記憶部(５)には、使用者が設定した加工コード情報(21)が立体コードに対応づけて登録され、さらに立体コードを変換することによって得られた変換済み加工コード情報(22)及び変換済み仮加工コード情報(23)が記憶されるようになっている。
【００２３】
形状解析用プログラム(15)は、エンジン化されて様々なシステムへの組み込みが可能となっている。この形状解析用プログラム(15)は、ＣＤ-ＲＯＭ等の記録媒体に記録されていて、これを図示しないＣＤ-ＲＯＭドライブにセットすることで、記憶部(５)にインストールされるようになっている。なお、形状解析用プログラム(15)は、別のコンピュータの記録媒体に記録されていて、インターネットを介して記憶部(５)にダウンロードさせるようにしても良い。
【００２４】
出力部(６)は、ＣＲＴ或いは液晶表示装置等のディスプレイ(25)やプリンタ(26)からなる。
【００２５】
そして、ＣＰＵ(１)は、記憶部(５)に記憶されている形状解析用プログラム(15)に従いながら、生産予定の木部材における画像情報に基づいて、その形状を解析してコード化するようになっている。
【００２６】
次に、上記の形状解析装置による木部材の形状解析動作を、図３に基づいて説明する。
【００２７】
まず、形状解析用プログラム(15)を起動して、入力部(４)を操作することで、例えば一棟の住宅の開口部分に使用する木部材の画像情報(16)を住宅の邸名情報とともに入力する(Ｓ１)。これらの画像情報(16)は、記憶部(５)に記憶される。なお、画像情報(16)には、木部材の材長や断面寸法といった外形寸法情報、及び加工部分の幅や深さ等の各種の寸法情報も含まれている。
【００２８】
このとき、例えばＣＡＤシステム等が組み込まれていて、開口部分の木部材についての画像情報(16)が既に入力されている場合には、その画像情報(16)を利用することも可能である。
【００２９】
次に、入力部(４)を操作して形状解析を開始すると、ＣＰＵ(１)が、図２に示すように、それぞれの木部材における平面、底面、正面、背面、左右の側面の６面についての２次元画像情報に基づいて、これら各面を構成する４辺に対してその方向を示す辺コードを付与するとともに、４辺に対してそのＸ軸方向及びＹ軸方向の移動量を示す度合いコードを付与する(Ｓ２)。なお、底面については、上方から透視した状態を対象とする。
【００３０】
辺コードの付与に際しては、図４(ａ)に示すように８方向のベクトルに「１〜８」までの数字を割り当てるとともに、図４(ｂ)に示すようにコード化対象の辺に対して基準線(Ｋ)を設けて、その基準線(Ｋ)にのる端点を「０」と表現する。これら「０〜８」までの数字を使用して、辺コードを付与している。なお、辺コードを付与することができない辺はない。
【００３１】
例えば、図５(ａ)に示す辺の場合には「１８０１０３１７０１０」、図５(ｂ)に示す辺の場合には「８０１０３１８０１０３１」といった辺コードを付与するようになっている。従って、図２に示す木部材の場合には、平面及び底面における４辺の辺コードは、「１７０１０３１７０１０」、「０１０」、「１３０１０」、「０１０」となり、正面、背面及び左右の側面における４辺の辺コードは、「０１０」、「０１０」、「０１０」、「０１０」となる。
【００３２】
また、辺の形状パターンは同じでも、加工部分の幅、深さ、位置等が異なる場合があるので、これを表現するために、辺のＸ軸方向及びＹ軸方向の移動量を数値化して、度合いコードとして付与している。なお、度合いコードを付与することができない辺はない。
【００３３】
例えば、図６に示す辺の場合には「(２００，０)(０，５０)(１２０，０)(０，−５０)(３００，０)」といった度合いコードを付与するようになっている。従って、図２に示す木部材の場合には、平面及び底面における４辺の度合いコードは、「(３６，０)(０，−５５)(６６，０)(０，３６)(７１，０)(０，−３６)(１６５，０)」、「３３８，０」、「(５５，０)(０，３６)(２５，０)」、「８０，０」となり、正面及び背面における４辺の度合いコードは、「３３８，０」、「３３８，０」、「３０，０」、「３０，０」となり、左右の側面における４辺の辺コードは、「８０，０」、「８０，０」、「３０，０」、「３０，０」となる。
【００３４】
そして、ＣＰＵ(１)は、このような木部材についての辺コード情報(17)及び度合いコード情報(18)を、記憶部(５)に記憶する(Ｓ３)。
【００３５】
次に、ＣＰＵ(１)は、夫々の木部材について、各面毎に辺コード及び度合いコードを集めて、これら辺コード及び度合いコードに基づいて各面の面形状を示す面コードを付与する(Ｓ４)。
【００３６】
具体的に、辺コードを集める場合には、下辺の辺コード、上辺の辺コード、左辺の辺コード、右辺の辺コードを順に並べるようにしている。従って、図２に示す木部材の平面及び底面については、「１７０１０３１７０１０−０１０−１３０１０−０１０」となり、正面、背面及び左右の側面については、「０１０−０１０−０１０−０１０」となる。
【００３７】
度合いコードを集める場合には、下辺の度合いコード、上辺の度合いコード、左辺の度合いコード、右辺の度合いコードを順に並べるようにしている。従って、図２に示す木部材の平面及び底面については、「(３６，０)(０，−５５)(６６，０)(０，３６)(７１，０)(０，−３６)(１６５，０)−(３３８，０)−(５５，０)(０，３６)(２５，０)−(８０，０)」となり、正面及び背面については、「(３３８，０)−(３３８，０)−(３０，０)−(３０，０)」となり、左右の側面については、「(８０，０)−(８０，０)−(３０，０)−(３０，０)」となる。
【００３８】
そして、平面及び底面については、その辺コードを集めてなる「１７０１０３１７０１０−０１０−１３０１０−０１０」と、度合いコードを集めてなる「(３６，０)(０，−５５)(６６，０)(０，３６)(７１，０)(０，−３６)(１６５，０)−(３３８，０)−(５５，０)(０，３６)(２５，０)−(８０，０)」に基づいて、記憶部(５)に予め登録されている面コード「ＡＭ６」を読み出して、これを平面及び底面の面コードとして付与する。
【００３９】
正面及び背面については、その辺コードを集めてなる「０１０−０１０−０１０−０１０」と、度合いコードを集めてなる「(３３８，０)−(３３８，０)−(３０，０)−(３０，０)」に基づいて、記憶部(５)に予め登録されている面コード「ＡＡ」を読み出して、これを正面及び背面の面コードとして付与する。
【００４０】
さらに、左右の側面については、その辺コードを集めてなる「０１０−０１０−０１０−０１０」と、度合いコードを集めてなる「(８０，０)−(８０，０)−(３０，０)−(３０，０)」に基づいて、記憶部(５)に予め登録されている面コード「ＡＡ」を読み出して、これを左右の側面の面コードとして付与する。なお、付与する面コードが登録されていない場合には、面コードを自動採番する。
【００４１】
そして、ＣＰＵ(１)は、このような木部材についての面コード情報(19)を、記憶部(５)に記憶する(Ｓ５)。
【００４２】
続いて、ＣＰＵ(１)は、夫々の木部材について、各面の面コードを集めて、これら面コードに基づいて木部材の立体形状を示す立体コードを付与する(Ｓ６)。
【００４３】
具体的に、木部材における平面の面コード、底面の面コード、正面の面コード、背面の面コード、左右の側面の面コードを順に並べることで、立体コードとしている。従って、図２に示す木部材の立体コードは、「ＡＭ６ＡＭ６ＡＡＡＡＡＡＡＡ」となる。なお、この立体コードは、木部材における切り欠き加工の形状、幅、深さ、外周端部の中間に切り欠き加工がある場合にはその切り欠き加工の一端部からの距離といった要素が加味されており、木部材の材長や幅、厚さ等の外形寸法は加味されていない。従って、立体コードが同じ木部材であっても、材長等が異なる場合がある。
【００４４】
そして、ＣＰＵ(１)は、このような木部材についての立体コード情報(20)を記憶部(５)に記憶する(Ｓ７)。
【００４５】
ここで、立体コードは、コンピュータ処理上のコードであり、使用者が木部材を集計、生産する上で扱うコードとしては、意味合いや桁数から不向きである。従って、立体コードを使用者が設定した分かり易い加工コードに変換することができるようにしている。
【００４６】
すなわち、入力部(４)を操作することで、使用者自らが設定した加工コード情報(21)を立体コード情報(20)に対応づけて事前に記憶部(５)に登録させておき、ＣＰＵ(１)は、木部材に対して立体コードを付与すると、その立体コードに対応する加工コードが記憶部(５)に登録されているか否かを判断する(Ｓ８)。そして、加工コードが登録されている場合には付与した立体コードを対応する加工コードに変換するとともに(Ｓ９)、登録されていない場合には付与した立体コードを仮加工コードに変換する(Ｓ１０)。
【００４７】
加工コードは、例えば最大５桁の英数字での設定が可能であり、使用者が自由に設定することができる。例えば、図７に示すように、１桁目に端部加工状態を表す英字を表示し、２桁目には中間加工数を示す数字を表示し、３桁目以降は連番を表示することで、加工の箇所や個数を簡単に把握できるようにしている。なお、３桁目以降の連番は、木部材の加工部分の幅や深さ等の相違によって異なる数字を表示するようにしている。
【００４８】
このようにして加工コードを設定することで、図２に示す木部材の場合には、立体コード「ＡＭ６ＡＭ６ＡＡＡＡＡＡＡＡ」が加工コード「Ｃ１０１４」に変換される。なお、立体コード「ＡＭ６ＡＭ６ＡＡＡＡＡＡＡＡ」に対応する加工コードが登録されていなければ、例えば仮加工コード「Ｚ００００１」が自動採番される。
【００４９】
そして、ＣＰＵ(１)は、このような木部材についての変換済み加工コード情報(22)或いは仮加工コード情報(23)を、記憶部(５)に記憶する(Ｓ１１)。
【００５０】
以上のように、夫々の木部材について、その各辺、各面及び全体形状が解析されて、その解析結果として付与された辺コード情報(17)、度合いコード情報(18)、面コード情報(19)、立体コード情報(20)が記憶されるとともに、立体コードが使用者によって自由に設定可能な加工コードに変換されて、その変換済み加工コード情報(22)が記憶されるので、これら各コード情報を利用して検索することで、生産予定の木部材についての様々なパターンでの集計が可能となっている。
【００５１】
図８〜図１１は、出力部(６)のディスプレイ(25)の画面上に表示した各種の集計表を示している。図８に示す集計表は、生産予定の木部材をその材長を優先させてまとめるようにしている。具体的には、同じ断面形状を有する木部材を集めて、その中で材長が短い木部材から順に選び出して表形式にまとめたものである。
【００５２】
図９に示す集計表は、生産予定の木部材をその全体形状を優先させてまとめるようにしている。具体的には、同じ断面形状を有する木部材を集めて、その中で切り欠き加工がなされない木部材と、切り欠き加工がなされる木部材とに分ける。そして、切り欠き加工がなされる木部材については、同じ加工コードを有する木部材を集めるようにして、表形式にまとめている。このような集計では、同じ幅及び深さの切り欠き加工を一端部から同じ距離に有する木部材がまとめられることになるので、これらの木部材の生産に際しては、例えば図１２に示すように、複数の帯板状の原材をそれらの一端部を揃えるようにして互いに重ね合わせ、同じ位置に同じ形状の切り欠き加工を一括して形成すれば生産効率を高めることができる。
【００５３】
図１０に示す集計表は、生産予定の木部材をその加工形状を優先させてまとめるようにしている。具体的には、切り欠き加工がなされない木部材と、切り欠き加工がなされる木部材とに分けて、切り欠き加工がなされない木部材については、同じ断面形状を有するものを集めて、切り欠き加工がなされる木部材については、平面及び底面における面コードが同じになっている木部材を集めるようにして、表形式にまとめている。例えば、この集計表においては、詳細コードに「ＡＢ２ＡＢ２…」を含んでいる木部材がまとまって表示されている。
【００５４】
このような集計では、同じ幅及び深さの切り欠き加工を有する木部材がまとめられることになるので、これらの木部材の生産に際しては、例えば図１３に示すように、複数の帯板状の原材を互いに重ね合わせ、同じ形状の切り欠き加工を一括して形成すれば生産効率を高めることができる。
【００５５】
図１１に示す集計表は、生産予定の木部材をその加工箇所を優先させてまとめるようにしている。具体的には、切り欠き加工がなされない木部材と、切り欠き加工がなされる木部材とに分けて、切り欠き加工がなされない木部材については、同じ断面形状を有するものを集めて、切り欠き加工がなされる木部材については、平面及び底面における切り欠き加工がなされた辺の辺コードが同じになっている木部材を集めるようにして、表形式にまとめている。
【００５６】
例えば、この集計表においては、詳細コードが「…ＡＣ７ＡＣ７」「…ＡＣ８ＡＣ８」「…ＡＣ９ＡＣ９」となっている木部材、さらに詳細コードが「…ＡＣ１０ＡＣ１０」「…ＡＣ１１ＡＣ１１」となっている木部材がまとまって表示されている。
【００５７】
このような集計では、加工箇所が同一の外周端部にある木部材がまとめられることになるので、これらの木部材の生産に際しては、例えば図１４に示すように、複数の帯板状の原材を互いに重ね合わせ、同一の外周端部に切り欠き加工を一括して形成すれば生産効率を高めることができる。
【００５８】
なお、図８〜図１１に示す集計表とともに、出力部(６)のディスプレイ(25)の画面上には、図１５に示すような切り欠き加工がなされる木部材の加工パターンが表形式で表示される。
【００５９】
このように、生産予定の木部材を各種のコードを利用して様々なパターンで集計することができ、しかも加工コードは使用者が自由に設定可能となっているので、保有する加工機の性能の違いなど生産現場の事情に合わせた集計を実現することができる。例えば、溝幅が容易に変えられる加工機を使用するのであれば、溝深さを優先した加工コードを設定し、逆に溝深さが容易に変えられる加工機の場合は、溝幅を優先した加工コードに設定すれば良い。
【００６０】
しかも、３次元ＣＡＤ・ＣＡＭのように立体を完全に数値化しているのではなく、最終的な製品形状から加工形状をコード化しているので、必要な容量は小さく高速での動作が可能となっている。
【００６１】
なお、この発明は、上記実施形態に限定されるものではなく、この発明の範囲内で上記実施形態に多くの修正及び変更を加え得ることは勿論である。例えば、この発明における形状解析は、木部材だけに限らず、木部材以外の建築用部材にも利用することができる。
【図面の簡単な説明】
【００６２】
【図１】この発明の一実施形態に係る形状解析装置の構成図である。
【図２】同じく形状解析を説明するための図である。
【図３】形状解析動作を示す制御フローチャートである。
【図４】辺解析を説明するための図である。
【図５】辺コードの付与を説明するための図である。
【図６】度合いコードの付与を説明するための図である。
【図７】加工コードの付与を説明するための図である。
【図８】木部材の材長を優先した集計における集計表の一例を示す図である。
【図９】木部材の形状を優先した集計における集計表の一例を示す図である。
【図１０】木部材の加工形状を優先した集計における集計表の一例を示す図である。
【図１１】木部材の加工箇所を優先した集計における集計表の一例を示す図である。
【図１２】木部材の形状を優先した集計に基いた加工方法の一例を示す図である。
【図１３】木部材の加工形状を優先した集計に基いた加工方法の一例を示す図である。
【図１４】木部材の加工箇所を優先した集計に基いた加工方法の一例を示す図である。
【図１５】切り欠き加工がなされた木部材の加工パターンの一覧表の一例を示す図である。
【符号の説明】
【００６３】
(１)  ＣＰＵ
(４)  入力部
(５)  記憶部
(６)  出力部
(10)  切り欠き加工
(11)  建築用部材(木部材)
(15)  形状解析用プログラム
(16)  画像情報
(17)  辺コード情報
(18)  度合いコード情報
(19)  面コード情報
(20)  立体コード情報
(21)  加工コード情報
(22)  変換済み加工コード情報
(23)  変換済み仮加工コード情報
【図１】
2005202804.tif 000003
【図２】
2005202804.tif 000004
【図３】
2005202804.tif 000005
【図４】
2005202804.tif 000006
【図５】
2005202804.tif 000007
【図６】
2005202804.tif 000008
【図７】
2005202804.tif 000009
【図８】
2005202804.tif 000010
【図９】
2005202804.tif 000011
【図１０】
2005202804.tif 000012
【図１１】
2005202804.tif 000013
【図１２】
2005202804.tif 000014
【図１３】
2005202804.tif 000015
【図１４】
2005202804.tif 000016
【図１５】
2005202804.tif 000017